(57)【要約】【課題】飲料水等の液体の取出しを簡単に行うことができ、容器の積み重ねが可能な使い勝手に優れた液体用容器を提供すること。【解決手段】直方体又は立方体形状の容器本体１の上部に、キャップ１５が被着される補給口４と把手３とを備えた合成樹脂製の液体用容器ｖであって、容器本体１は、その上部周縁に段部６が形成され、その底壁部１ｂの周縁下方に脚部８を一体に形成すると共に底壁部１ｂの下方に空間部１０を設け、その前壁部１ａに形成された凹部７に内部の液体を取り出すためのコック又は開閉弁１７を設けてなり、その容器本体が積み重ねられるときには、下方に位置する容器本体の段部に、上方に位置する容器本体の脚部を載せて同容器本体を支持させるように設けると共に、下方の容器本体の上部が上方の容器本体の空間部に収められるように構成した。【選択図】　図２
0003097311.tif 000002
【実用新案登録請求の範囲】
【請求項１】
直方体又は立方体形状の容器本体の上部に、キャップが被着される補給口と把手とを備えた合成樹脂製の液体用容器であって、前記容器本体は、その上部周縁に段部が形成され、その底壁部の周縁下方に脚部を一体に形成すると共に当該底壁部の下方に空間部を設け、その前壁部に形成された凹部に内部の液体を取り出すためのコック又は開閉弁を設けてなり、その容器本体が積み重ねられるときには、下方に位置する容器本体の前記段部に、上方に位置する容器本体の前記脚部を載せて同容器本体を支持させるように設けると共に、下方の容器本体の上部が上方の容器本体の前記空間部に収められるように構成したことを特徴とする液体用容器。
【請求項２】
前記底壁部が、前記前壁部の内方中央に向かって下がり傾斜に設けられ、その中央下部に前記コック又は開閉弁を配置することを特徴とする請求項１に記載の液体用容器。
【考案の詳細な説明】
【０００１】
【考案の属する技術分野】
本考案は、主に飲料水を運搬、保管するために用いられる液体用容器に関する。
【０００２】
【従来の技術】
従来の主に飲料水を運搬、保管するために用いられる合成樹脂製液体用容器は、直方体形状の容器本体の上部に補給口と把手を備えた構造とされ、容量が２０リットルのものが家庭等で一般的に使用されている。この液体用容器については、積み重ねることができるように構成されていない。
【０００３】
【考案が解決しようとする課題】
従来の上記合成樹脂製液体用容器は、満杯状態の場合に非常に重くなるために、非力な老人や女性にとっては持ち運びや移動させることが大変困難であり、取り扱いが容易ではなかった。また、飲料水を容器から取り出す場合には、補給口（注ぎ口）に被着されたねじ込み式のキャップを外して容器本体を適宜傾けつつ行なうとか、小型ポンプを利用して行なうことが考えられるが、飲料水を外にこぼさないように取り出す扱い方に煩わしさを伴う。さらには、この容器は、きちんと積み重ねることができる構成とされていないために平面的に置かざるを得ず、保管時の省スペース化を図ることができなかった。
【０００４】
本考案の目的は、飲料水等の液体の取出しを簡単に行うことができ、容器の積み重ねが可能な使い勝手に優れた液体用容器を提供することにある。
【０００５】
【課題を解決するための手段】
前記目的を達成するために請求項１に記載の考案は、直方体又は立方体形状の容器本体の上部に、キャップが被着される補給口と把手とを備えた合成樹脂製の液体用容器であって、前記容器本体は、その上部周縁に段部が形成され、その底壁部の周縁下方に脚部を一体に形成すると共に当該底壁部の下方に空間部を設け、その前壁部に形成された凹部に内部の液体を取り出すためのコック又は開閉弁を設けてなり、その容器本体が積み重ねられるときには、下方に位置する容器本体の前記段部に、上方に位置する容器本体の前記脚部を載せて同容器本体を支持させるように設けると共に、下方の容器本体の上部が上方の容器本体の前記空間部に収められるように構成したことを特徴とする。
【０００６】
同様の目的を達成するために請求項２に記載の考案は、前記底壁部が、請求項１に記載の液体用容器において、前記前壁部の内方中央に向かって下がり傾斜に設けられ、その中央下部に前記コック又は開閉弁を配置することを特徴とするものである。
【０００７】
【考案の作用及び効果】
（請求項１の考案）
飲料水等の液体を取り出す場合には、容器本体に設けられたコック又は開閉弁を開放状態とすることにより容易に行うことができる。
また、複数個の液体用容器を積み重ねる場合には、下方に位置する容器本体の段部に、上方に位置する容器本体の脚部を載せることにより、上方の容器本体は運搬、保管時に横にずれることなく、確実に安定して支持される。そして、液体用容器を積み重ねた状態においても、各々の液体用容器に設けられたコック又は開閉弁を操作することにより当該容器の液体の取り出しを容易に行うことができる。
【０００８】
しかして、この液体用容器は、飲料水等の液体の取出しをコック又は開閉弁によって簡単に行うことができると共に、積み重ね可能に構成しているために大変使い勝手が良い。加えて、液体用容器を積み重ねた状態とすることにより、運搬、保管時の省スペース化を図ることができる利点がある。
【０００９】
なお、容器の容量については、軽い力で持ち運びや取り扱いを行なうことができるように、例えば、５〜２０リットルの範囲内の容量にするのが好ましい。
【００１０】
（請求項２の考案）
液体用容器のコック又は開閉弁は、底壁部の低い配置に設けられているので、内部の液体を殆んど残すことなく外部へ円滑に排出することができる。
【００１１】
【考案の実施の形態】
以下に、本考案の実施の形態例を図面に基づいて説明する。図１は液体用容器の斜視図、図２は液体用容器の一部破断側面図、図３は液体用容器を積み重ねた状態を示す側面図、図４は据え置き台の斜視図、図５は液体用容器を据え置き台に載せた状態を示す説明図である。
【００１２】
図１において、ｖは飲料水の貯蔵、運搬等に使用される本考案の液体用容器である。この液体用容器ｖの合成樹脂製の容器本体１は直方体形状とされ、上部２の長手方向中央に棒形状の把手３を配置し、その把手３の前側に形成された傾斜壁部２ａに補給口４を、把手３の後側の少し低く形成された平らな壁部２ｂに空気穴５を設けている。１５は補給口４に被着されたねじ込み式のキャップ、１６は空気穴５に被着されたねじ込み式のキャップである。
【００１３】
上記容器本体１は、その上部２の周縁に沿うように水平方向に段部６が形成され、その前壁部１ａの下方に凹部７が形成されている。また、容器本体１の底壁部１ｂは、前壁部１ａの内方中央に向かって左右及び後方の三方から下がり傾斜となるように設けられている。そして、底壁部１ｂの周縁下方には脚部８が真下に延びるように一体に形成されていて、底壁部１ｂと脚部８とにより囲まれる空間部１０が設けられている（図２）。
【００１４】
しかして、容器本体１については、液体用容器ｖを積み重ねる場合を考慮して、下方に位置する容器本体１の段部６に、上方に位置する容器本体１の脚部８を載せて同容器本体を支持させるように設けられると共に、下方の容器本体１の上部２が上方の容器本体１の空間部１０に収められるように設けられている。
【００１５】
前記凹部７の中央の底壁部１ｂの近くには小径の開口９を形成し、その開口９に筒部１７ａを螺着させて開閉弁１７が取り付けられている。なお、この開閉弁１７に代えて公知のコック、又はホース用継手を備えた弁類を取り付けることもできる。
【００１６】
つぎに、かかる構成になる液体用容器ｖの取り扱い方について述べる。
液体用容器ｖから飲料水を取り出すときには、開閉弁１７を開閉操作することにより容易に行うことができる。
図３に示すように、液体用容器同士を積み重ねる場合には、下方に位置する液体用容器ｖの段部６に、上方に位置する液体用容器ｖの脚部８を載せればよい。これにより、上方の液体用容器ｖは横にずれることなく、確実に安定して支持される。なお、下方の液体用容器ｖの飲料水を使いきった場合において、上方の液体用容器ｖの飲料水を下方の液体用容器ｖにチューブ類（図示せず）を介して移すこともできる。このときには、開閉弁１７の下方のスペースが広くなるので、飲料水の取り出しが行ない易くなる。
【００１７】
本考案の液体用容器ｖはそのまま床面等に置いてもよいが、図４に示す据え置き台２０に載せて保管することもできる。その据え置き台２０は、内部が空洞とされており、液体用容器ｖの脚部８を載せる支持部２１と、液体用容器ｖの空間部１０に収まって容器本体１を横にずれることを防ぐための嵌合部２２とを一体に形成し、一端側２０ａに凹部２３が設けられている。その凹部２３については、容器本体１の凹部７の大きさに合わせて設けられている。
【００１８】
しかして、かかる構成になる据え置き台２０によれば、図５に示すように、支持部２１に液体用容器ｖの脚部８を載せることにより当該液体用容器ｖを安定して支持することができる。
【００１９】
以上に述べた通り、この液体用容器は、飲料水等の液体の取出しをコック又は開閉弁によって簡単に行うことができるので、大変使い勝手が良い。加えて、液体用容器同士を積み重ねることが可能な構成とされているので、運搬、保管時の省スペース化を図ることができる。
【図面の簡単な説明】
【図１】液体用容器の斜視図
【図２】液体用容器の一部破断側面図
【図３】液体用容器を積み重ねた状態を示す側面図
【図４】据え置き台の斜視図
【図５】液体用容器を据え置き台に載せた状態を示す説明図
【符号の説明】
ｖ・・・液体用容器
１・・・容器本体
１ａ・・・前壁部　１ｂ・・・底壁部
２・・・上部
３・・・把手
４・・・補給口
６・・・段部
７・・・凹部
８・・・脚部
１０・・・空間部
１５・・・キャップ
１７・・・開閉弁
【図１】
0003097311.tif 000003
【図２】
0003097311.tif 000004
【図３】
0003097311.tif 000005
【図４】
0003097311.tif 000006
【図５】
0003097311.tif 000007